(57)【要約】【課題】作業効率を高めることが可能であるとともに、下地等を傷つけることなく美しい仕上がりを確保可能とする。【解決手段】テープ本体２の一方面に易剥離性接着層３を形成し、他方面に非粘着層４を形成した下敷きテープ。下地に仮止めした下敷きテープ上で一方及び他方の糊付きシートの端部分に切り込みを入れ、糊付きシートの不要部分の除去後に下敷きテープを取り外す工法。目すかし部分１１０１を挟んだ一方側下地１１０２Ａに貼着した糊付きシート１２を目すかし部分１１０１を挟んだ他方側下地の端部分表面に仮止めした下敷きテープまで延出した後に下敷きテープに重なる箇所で切断し、糊付きシートの未貼着部分を目すかし部分に貼着後に下敷きテープ１を取り除く工法。下地１１Ｃに貼着した糊付きシート１２を床面１１Ｄに仮止めした下敷きテープ１まで延出後に切断して下敷きテープを取り除く工法。【選択図】図１
2008303647.tif 000002
【特許請求の範囲】
【請求項１】
糊付きシートを下地に貼着する際に用いる下敷きテープであって、
テープ本体（２）の一方の面に易剥離性接着層（３）を形成するとともに、前記テープ本体（２）の他方の面には、非粘着加工を施して非粘着層（４）を形成してなることを特徴とする糊付きシート貼着用の下敷きテープ。
【請求項２】
請求項１に記載の下敷きテープ（１）を用いて、糊付きシートを重ね切りしつつ下地に貼着する糊付きシートの貼着工法であって、
予め、下地（１１Ａ）における糊付きシート（１２）の継ぎ目部分となる箇所に前記下敷きテープ（１）を仮止めしておき、
端部分が前記下敷きテープ（１）と重なり合う配置で一方の糊付きシート（１２Ａ）を下地（１１Ａ）に貼着し、
端部分が前記一方の糊付きシート（１２Ａ）の端部分に重なり合う配置で他方の糊付きシート（１２Ｂ）を下地（１１Ａ）に貼着し、
前記糊付きシート（１２Ａ、１２Ｂ）における互いに重なり合う部分に長さ方向に切り込み（１３）を入れ、
前記一方の糊付きシート（１２Ａ）の上に重なっている前記他方の糊付きシート（１２Ｂ）における前記切り込み（１３）より先端の不要部分を除去し、
前記他方の糊付きシート（１２Ｂ）の下に重なっている前記一方の糊付きシート（１２Ａ）における前記切り込み（１３）より先端の不要部分を除去し、
その後に、前記仮止めした下敷きテープ（１）を除去し、糊付きシート（１２Ａ、１２Ｂ）の端部分を下地に貼着する、ことを特徴とする糊付きシートの貼着工法。
【請求項３】
糊付きシート（１２）の継ぎ目部分となる箇所に前記下敷きテープ（１）を予め仮止めするに際して、継ぎ目部分となる複数箇所にそれぞれ、前記下敷きテープ（１）を予め仮止めしておくことを特徴とする請求項２に記載の糊付きシートの貼着工法。
【請求項４】
請求項１に記載の下敷きテープを用いて、凹状の目すかし部分（１１０１）を有する下地（１１Ｂ）における前記目すかし部分（１１０１）に糊付きシートを貼る糊付きシートの貼着工法であって、
予め、目すかし部分（１１０１）を挟んだ下地（１１Ｂ）の他方（１１０２Ｂ）の端部分の表面に前記下敷きテープ（１）を仮止めしておき、
目すかし部分（１１０１）を挟んだ下地の一方（１１０２Ａ）における表面及び目すかし部分側の側面に糊付きシート（１２）を貼着し、
前記目すかし部分（１１０１）を挟んだ下地の一方（１１０２Ａ）における目すかし部分（１１０１）側の側面に貼着した糊付きシート（１２）を、前記下敷きテープ（１）側まで延出した後に下敷きテープ（１）に重なり合っている箇所で切断し、
糊付きシート（１２）における未貼着の部分を下地（１１Ｂ）の目すかし部分（１１０１）に貼着し、
その後、前記仮止めした下敷きテープ（１）を取り除く、ことを特徴とする糊付きシートの貼着工法。
【請求項５】
請求項１に記載の下敷きテープを用いて、下地のヘリ部分に糊付きシートを貼る糊付きシートの貼着工法であって、
予め、下地（１１Ｃ）に交差する床面等（１１Ｄ）における下地（１１Ｃ）の近傍に前記下敷きテープ（１）を仮止めしておき、
下地（１１Ｃ）に糊付きシート（１２）を貼着するとともに、その端部分を床面等（１１Ｄ）の側まで延出し、
該延出させた糊付きシート（１２）を、前記下地（１１Ｃ）と床面等（１１Ｄ）との交差部分で切断し、
その後、前記仮止めした下敷きテープ（１）を取り除く、ことを特徴とする糊付きシートの貼着工法。
【発明の詳細な説明】
【技術分野】
【０００１】
本発明は糊付きシート貼着用下敷きテープ及びそれを用いた糊付きシートの貼着工法に係り、より詳しくは、作業効率を高めるとともに、下地を傷めずに美しい仕上がりを確保可能とした糊付きシート貼着用下敷きテープ及びそれを用いた糊付きシートの貼着工法に関する。
【背景技術】
【０００２】
周知のように、住宅等における壁の内装は、下地ボード等の下地に塩ビ、オレフィン紙等に接着層を形成した糊付きシートを貼着することにより行われるが、用いられる糊付きシートには幅の制限があるために、糊付きシートの幅寸法よりも大きい寸法の下地に糊付きシートを貼る場合には、複数枚の糊付きシートを貼り合わせる必要がある。
【０００３】
そして、このとき、単に複数枚の糊付きシートの端どうしを突き合わせて糊付きシートを貼着した場合には継ぎ目部分を美しくすることができないために、これを防止する方法として重ね切り工法と呼ばれる施工方法が行われている。
【０００４】
この重ね切り工法とは、一方の糊付きシート３２Ａと他方の糊付きシート３２Ｂを、端部分を重ね合わした状態で下地３１Ａに貼着し、その後に糊付きシートの互いに重なっている部分を除去する方法である。即ち、図５において３１Ａは下地としての下地ボードであり、この下地ボード３１Ａに重ね切り工法によって糊付きシートを貼着する場合には、まず、一方側の糊付きシート３２Ａの剥離紙を、継ぎ目部分となる側の端部分３３を残して剥離させた後に、この状態で、図５Ａに示すように、糊付きシート３２Ａを下地ボード３１Ａに貼着する。そうすると、剥離紙３３を残してある部分は下地ボード３１Ａには貼着されない。
【０００５】
次に、図５Ｂに示すように、すべての剥離紙を剥がした他方の糊付きシート３２Ｂを、端部分が前記一方の糊付きシート３２Ａの端部分に重なり合うようにして下地ボード３１Ａに貼着する。
【０００６】
次に、残した剥離紙３３の上方部分において、例えば図５Ｂにおける矢印Ｄに示す部分において、他方の糊付きシート３２Ｂと一方の糊付きシート３２Ａに切り込み３４を入れて、その後に、他方の糊付きシート３２Ｂにおける、切り込み３４より先端側の不要部分を取り除く。
【０００７】
この状態が図５Ｃの状態であり、この状態において、他方の糊付きシート３２Ｂの端部分及び一方の糊付きシート３２Ａの端部分をめくり、他方の糊付きシート３２Ｂの下側に重なっている一方の糊付きシート３２Ａにおける切り込み３４より先端の不要部分を取り除くとともに、一方の糊付きシート３２Ａの端部分の裏面に残っている剥離紙３３を取り除き、その後に、他方の糊付きシート３２Ｂの端部分及び一方の糊付きシート３２Ａの端部分を下地ボード３１Ａに貼着し、これにより、図５Ｄに示すように、継ぎ目部分を美しく仕上げつつ下地ボード３１Ａに糊付きシート３２Ａ、３２Ｂを貼ることが可能になる。
【０００８】
しかしながら、このように剥離紙の一部を残して行う重ね切り工法では、継ぎ目部分がドレープ状になってしまうことがある。即ち、糊付きシートは一般的に芯材に巻き付けられた状態で運搬、保管がされるために巻き癖がついており、従って、端部分のみを残して剥離紙を剥がし、この状態で下地ボードに貼着すると、剥離紙を残した端部分が波状になってしまう。そのため、このような状態で前述したような重ね切り工法を行うと、継ぎ目部分がドレープ状になってしまうおそれが考えられる。
【０００９】
一方、剥離紙を残さずに前述のような重ね切り工法を行った場合には糊付きシートに切り込みを入れる際に下地ボードを傷つけてしまうおそれが考えられる。
【００１０】
この点、従来技術として、下敷きテープが開示されているが、開示されている下敷きテープは、糊付きシートの接着力を利用して下地ボードに仮止めするものであるために、予め下地ボードに仮止めしておくことはできず、そのために作業効率を上げることは不可能である。
【００１１】
また、従来技術として、粘着層が設けられた補助テープも開示されているが（実開平４−８６８５５号）、単に一方の面に粘着層を設けたのみでは、これを剥がす際に下地ボードを傷めてしまう恐れがあるとともに、糊付きシートを表面に貼り付けた後に剥がすことが困難になってしまうおそれもある。
【００１２】
そのために、従来は、美しい仕上がりを確保しつつ効率よく重ね切り工法を実現することは困難な場合があり、職人の実力により仕上がりの美しさに大きな差が出ていた。
【００１３】
また、下地ボードには、高さ方向に沿って凹部状の目すかし部分を設けた態様のものがあり、このような下地ボードに糊付きシートを貼着する場合には、いわゆる目すかし工法が採用されるが、従来の目すかし工法では下地ボードが傷ついてしまう恐れが指摘されている。
【００１４】
即ち、図６はこの目すかし工法を説明するための図であり、図において３１Ｂは下地ボード、３２は糊付きシートであり、下地ボード３１Ｂには、凹状の目すかし部分３１０１が形成されており、この目すかし部分３１０１によって、下地ボード３１は、一方側３１０２Ａと他方側３１０２Ｂに分断されている。そして、この目すかし工法では、下地ボード３１の一方側３１０２Ａの表面、及び目すかし部分３１０１における一方側の下地ボード３１０２Ａ側の側面に糊付きシートを貼着するとともに、この糊付きシート３２を他方側の下地ボード３１０２Ｂの端部分まで延出した後に、この延出した糊付きシート３２を、他方側の下地ボード３１０２Ｂの端部分近傍箇所、図における矢印Ｅで示す部分で切断し、その後に、糊付きシート３２の未貼着の部分を目すかし部分３１０１の底部分に貼着して行われる。
【００１５】
しかしながら、この工法では、下地ボードの他方側３１０２Ｂまで延出した糊付きシート３２が他方側の下地ボード３１０２Ｂに貼着されてしまい、これを剥がす際に下地ボード３１を傷つけてしまうことがあった。
【００１６】
更に、下地ボードに糊付きシートを貼着するに際して、下地ボードと床面との交差部分においては、図７に示すように、下地ボード３１Ｃの下端まで糊付きシート３２を貼着した後に、更にこの糊付きシート３２を床面３１Ｄ側まで延出して、この状態で、下地ボード３１Ｃの下端部分、図における矢印Ｆ部分で切断し、これにより下地ボード３１Ｃの下端まで確実に糊付きシート３２を貼着することが行われるが、このとき、床面３１Ｄ側まで延出させた糊付きシート３２が床面３１Ｄに貼着されてしまい、これを剥がすことにより床面３１Ｄが傷ついてしまうという問題点が指摘されてきた。
【特許文献１】実開平５−１６９７７号公報
【特許文献２】特開２００４−１９４１１号公報
【特許文献３】特開平６−３３５６６号公報
【特許文献４】実開平４−８６８５５号公報
【発明の開示】
【発明が解決しようとする課題】
【００１７】
そこで、本発明は、作業効率を高めることが可能であるとともに、下地や床面を傷つけることなく美しい仕上がりを確保可能とした糊付きシート貼着用下敷きテープ及びそれを用いた糊付きシートの貼着工法を提供することを課題としている。
【課題を解決するための手段】
【００１８】
本発明の糊付きシート貼着用の下敷きテープは、糊付きシートを下地ボード等に貼着する際に用いる下敷きテープであって、テープ本体の一方の面に易剥離性接着層を形成するとともに、前記テープ本体の他方の面には、非粘着加工を施して非粘着層を形成したことを特徴としている。
【００１９】
次に、この下敷きテープを用いて、糊付きシートを重ね切りしつつ下地に貼着する本発明の糊付きシートの貼着工法は、予め、下地における糊付きシートの継ぎ目部分となる箇所に前記下敷きテープを仮止めしておき、端部分が前記下敷きテープと重なり合う配置で一方の糊付きシートを下地に貼着し、端部分が前記一方の糊付きシートの端部分に重なり合う配置で他方の糊付きシートを下地に貼着し、前記糊付きシートにおける互いに重なり合う部分に長さ方向に切り込みを入れ、前記一方の糊付きシートの上に重なっている前記他方の糊付きシートにおける前記切り込みより先端の不要部分を除去し、前記他方の糊付きシートの下に重なっている前記一方の糊付きシートにおける前記切り込みより先端の不要部分を除去し、その後に、前記仮止めした下敷きテープを除去し、糊付きシートの端部分を下地に貼着することを特徴としている。
【００２０】
次に、前記下敷きテープを用いて、凹状の目すかし部分を有する下地における前記目すかし部分に糊付きシートを貼る本発明の糊付きシートの貼着工法は、予め、目すかし部分を挟んだ下地の他方の端部分の表面に前記下敷きテープを仮止めしておき、目すかし部分を挟んだ下地の一方における表面及び目すかし部分側の側面に糊付きシートを貼着し、前記目すかし部分を挟んだ下地の一方における目すかし部分側の側面に貼着した糊付きシートを、前記下敷きテープ側まで延出した後に下敷きテープに重なり合っている箇所で切断し、糊付きシートにおける未貼着の部分を下地の目すかし部分に貼着し、その後、前記仮止めした下敷きテープを取り除く、ことを特徴としている。
【００２１】
次に、前記下敷きテープを用いて、下地のヘリ部分に糊付きシートを貼る本発明の糊付きシートの貼着工法は、予め、下地に交差する床面等における下地の近傍に前記下敷きテープを仮止めしておき、下地に糊付きシートを貼着するとともに、その端部分を床面等の側まで延出し、該延出させた糊付きシートを、前記下地と床面等との交差部分で切断し、その後、前記仮止めした下敷きテープを取り除く、ことを特徴としている。
【発明の効果】
【００２２】
本発明の糊付きシート貼着用の下敷きテープは、テープ本体の一方の面に易剥離性接着層を形成しているために、糊付きシートの施工の際に予め必要な箇所に貼着しておくことができ、これにより、作業効率を向上させつつ、下地を傷めることなく糊付きシートを貼ることができる。また、易剥離性接着層としているために、糊付きシート施工終了後は、下地を傷めることなく容易に下地より剥がすことができる。更に、他方の面には非粘着加工を施して非粘着層としているために、糊付きシートが張り付いてしまうこともない。
【００２３】
また、前記下敷きテープを用いて、糊付きシートを重ね切りしつつ下地に貼着する本発明の糊付きシートの貼着工法は、予め、下地における糊付きシートの継ぎ目部分となる箇所に前記下敷きテープを予め下地に仮止めしておき、この下敷きテープ上で糊付きシートの重ね切りを行った後に下敷きテープを取り除くこととしているために、剥離紙の一部を残しておく従来の工法と異なり、継ぎ目部分がドレープ状になってしまうおそれがない。
【００２４】
また、前記下敷きテープを用いて、凹状の目すかし部分を有する下地における前記目すかし部分に糊付きシートを貼る本発明の糊付きシートの貼着工法は、従来から行われてきた工法において、予め、目すかし部分を挟んだ下地の他方の端部分の表面に前記下敷きテープを仮止めしておくことを特徴としているために、他方の下地の表面を糊付きシートの接着力により傷めることを防止できるとともに、予め複数箇所に下敷きテープを仮止めしておくことができ、作業効率を向上させることができる。
【００２５】
また、前記下敷きテープを用いて、下地のヘリ部分に糊付きシートを貼る本発明の糊付きシートの貼着工法は、従来から行われてきた工法において、予め、下地に交差する床面等における下地の近傍に前記下敷きテープを仮止めしておくことを特徴としているために、糊付きシートの接着力により床面を傷めることを防止できるとともに、予め床面の複数箇所に下敷きテープを仮止めしておくことができ、作業効率を向上させることができる。
【発明を実施するための最良の形態】
【００２６】
本発明の下敷きテープでは、テープ本体を有するとともに、このテープ本体の一方の面には弱粘性の糊等を用いて易剥離性接着層を形成し、前記テープ本体の他方の面には、シリコン加工、あるいは蝋等を塗ることにより非粘着層を形成している。
【００２７】
次に、この下敷きテープを用いて、糊付きシートを重ね切りしつつ下地に貼着する本発明の糊付きシートの貼着工法では、まず、予め、糊付きシートの継ぎ目部分となる箇所に前記下敷きテープを仮止めしておく。
【００２８】
そして、端部分が前記下敷きテープと重なり合う配置で一方の糊付きシートを下地に貼着し、次に、端部分が前記一方の糊付きシートの端部分に重なり合う配置で他方の糊付きシートを下地に貼着する。
【００２９】
そして次に、前記糊付きシートが重なり合う部分に長さ方向に切り込みを入れ、前記一方の糊付きシートの上に重なっている前記他方の糊付きシートにおける不要部分を除去する。
【００３０】
更に、前記他方の糊付きシートの端をめくりあげて前記他方の糊付きシートの下に重なっている前記一方の糊付きシートにおける不要部分を除去する。
【００３１】
そしてその後に、一方の糊付きシート及び他方の糊付きシートの端部分をめくりあげて前記仮止めした下敷きテープを除去し、その後に、めくりあげた糊付きシートの端部分を下地に貼着する。
【００３２】
ここで、糊付きシートの継ぎ目部分となる箇所に前記下敷きテープを予め仮止めするに際して、継ぎ目部分となる複数箇所にそれぞれ、前記下敷きテープを予め仮止めしておくとよく、これにより、作業効率を向上させることが可能となる。
【００３３】
次に、前記下敷きテープを用いて、凹状の目すかし部分を有する下地における前記目すかし部分に糊付きシートを貼る本発明の糊付きシートの貼着工法では、まず、予め、目すかし部分を挟んだ下地の他方の端部分の表面に前記下敷きテープを仮止めしておく。
【００３４】
そして、目すかし部分を挟んだ下地の一方における表面及び目すかし部分側の側面に糊付きシートを貼着し、該目すかし部分を挟んだ下地の一方における目すかし部分側の側面に貼着した糊付きシートを、前記下敷きテープ側まで延出する。
【００３５】
そしてその後に、糊付きシートを、下敷きテープに重なり合っている箇所で切断し、糊付きシートにおける未貼着の部分を下地の目すかし部分に貼着し、その後、前記仮止めした下敷きテープを取り除く。
【００３６】
次に、前記下敷きテープを用いて、下地のヘリ部分に糊付きシートを貼る本発明の糊付きシートの貼着工法では、まず、予め、下地に交差する床面等における下地の近傍に前記下敷きテープを仮止めしておく。
【００３７】
そして、下地に糊付きシートを貼着するとともに、その端部分を床面等側まで延出し、該延出させた糊付きシートを、前記下地と床面等との交差部分で切断し、その後、前記仮止めした下敷きテープを取り除く。
【実施例１】
【００３８】
本発明の下敷きテープの実施例について図１を参照して説明すると、図１は本実施例の下敷きテープの構成を示す断面図であり、図において１が本実施例の下敷きテープである。
【００３９】
そして、本実施例の下敷きテープ１はテープ本体を有しており、即ち図において２がテープ本体であり、本実施例におけるテープ本体２は、塩ビシート、オレフィン紙、紙等の柔軟性のある薄い素材から構成され、５ｍｍ乃至１０ｍｍ幅の細長形状とされて、例えば粘着テープ等のように、芯材に巻き取ることで保管される。
【００４０】
次に、前記テープ本体２の一方の面には、易剥離性の接着層３が形成されており、この易剥離性接着層３は、例えば弱粘性の糊を前記テープ本体２の一方の面にコーティングすることにより形成される。
【００４１】
また、前記テープ本体２の他方の面には、非粘着層４が形成されており、この非粘着層４は、例えば、前記テープ本体２の他方の面にシリコン加工、あるいは蝋等をコーティングする等の非粘着加工を施すことにより形成されている。
【００４２】
そして、このように構成される本実施例の下敷きテープ１は、下地ボードに糊付きシートを貼着する際に下敷きとして用いられ、それにより、下地ボードを傷めることなく美しい仕上がりの壁貼り施工を可能にする。
【実施例２】
【００４３】
次に、このように構成される下敷きテープを用いて、糊付きシートを重ね切りしつつ下地に貼着する本発明の糊付きシートの貼着工法（以下「重ね切り工法」と称する。）の実施例について図面を参照して説明すると、図２は、本実施例の糊付きシートの重ね切り工法を説明するための工程図であり、図において１１Ａが下地ボードである。
【００４４】
そして、本実施例の重ね切り工法では、まず、図２（Ａ）に示すように、下地ボード１１Ａにおける糊付きシートの継ぎ目部分となる箇所に、下地ボード１１Ａの高さ寸法と同等に切断した下敷きテープ１を下地ボード１１Ａの高さ方向に沿って仮止めする。
【００４５】
なお、糊付きシートを下地ボード１１Ａに貼着する際には、下地ボード１１Ａの幅によっては糊付きシートを３枚以上継ぎ貼りする必要が生じ、糊付きシートの継ぎ目が複数箇所に形成されることがあるが、かかる場合には、糊付きシートの継ぎ目となる箇所のそれぞれに、予め下敷きテープを仮止めしておくとよく、これにより作業効率を高めることができる。
【００４６】
次に、端部分が前記下敷きテープ１と重なり合う配置で、下地ボード１１Ａに、一方の糊付きシート１２Ａを貼着し、更に、端部分が前記一方の糊付きシート１２Ａの端部分に重なり合う配置で、他方の糊付きシート１２Ｂを、前記下地ボード１１Ａに貼着する。
【００４７】
この状態が図２（Ｂ）であり、次に、この状態において、図２（Ｃ）に矢印Ａで示すように、前記糊付きシート１２Ａ、１２Ｂが重なり合う部分に、長さ方向に切り込み１３を入れる。そうすると、他方の糊付きシート１２Ｂにおける切り込みよりも先端部分、及び、一方の糊付きシート１２Ａにおける切り込みよりも先端部分はともに、糊付きシートの他の部分から離れて自由端となるとともに、不要部分となる。
【００４８】
そして、次に、このように自由端となった部分を取り除く。即ち、図２（Ｄ）に示すように、前記一方の糊付きシート１２Ａの上に重なっている前記他方の糊付きシート１２Ｂにおける不要部分を除去し、次に、図２（Ｄ）に矢印で示すように前記他方の糊付きシート１２Ｂの先端部分をめくりつつ、前記他方の糊付きシート１２Ｂの下に重なっている前記一方の糊付きシート１２Ａにおける不要部分を除去する。
【００４９】
この状態が図２（Ｅ）の状態であり、この状態において次に、矢印で示すように一方の糊付きシート１２Ａの先端部分、及び他方の糊付きシート１２Ｂの先端部分をめくりあげ、前記仮止めした下敷きテープ１を取り除き、その後に、めくりあげた一方の糊付きシート１２Ａの先端部分と他方の糊付きシート１２Ｂの先端部を下地ボード１１に貼着する。
【００５０】
そうすると、図２（Ｆ）に示すように、継ぎ目部分を美しく仕上げつつ糊付きシート１２を下地ボード１１Ａに貼り付けることができるとともに、下敷きテープ１の存在によって、糊付きシート１２に切り込みを入れる際にも下地ボード１１を傷めることを防止できる。
【００５１】
そしてこのとき、本実施例の工法では、下地ボードに仮止めした下敷きテープ上で糊付きシートの重ね切りをしているために、糊付きシートの剥離紙を剥がすに際してその一部を残しておく必要がなく、そのため、継ぎ目部分がドレープ状になってしまうおそれがない。
【００５２】
また、易剥離性接着層を有する下敷きテープを用いるために、糊付きシートの施工の際に予め下敷きテープを貼着しておくことができ、これにより作業効率を向上させることができるとともに、糊付きシート施工終了後に、下地ボードを傷めることなく容易に剥がすことができる。更にこのとき、糊付きシートの継ぎ目部分となる箇所が複数箇所ある場合には、その箇所のそれぞれに予め下敷きテープを仮止めしておくことで、作業効率を更に高めることが可能となる。
【実施例３】
【００５３】
次に、前記下敷きテープを用いて、凹状の目すかし部分を有する下地における前記目すかし部分に糊付きシートを貼る本発明の糊付きシートの貼着工法（以下「目すかし貼り工法」と称する。）の実施例について説明すると、図３は、本実施例の糊付きシートの目すかし貼り工法を説明するための図であり、図において１１Ｂは目すかし部分を備えた下地ボードである。
【００５４】
即ち、この下地ボード１１Ｂでは、高さ方向に沿って、所定幅の凹状とした目すかし部分１１０１を有しており、この目すかし部分１１０１を挟んで、前記下地ボード１１Ｂは、一方側下地ボード１１０２Ａと、他方側下地ボード１１０２Ｂとを有している。
【００５５】
そして、本実施例の目すかし貼り工法では、予め、他方側下地ボード１１０２Ｂの端部分の表面に前記下敷きテープ１を仮止めしておく。
【００５６】
そして、一方側下地ボード１１０２Ａにおける表面と、目すかし部分１１０１における一方側下地ボード１１０２Ａ側の側面に糊付きシート１２を貼着するとともに、この糊付きシート１２を、前記下敷きテープ１側まで延出し、この延出した糊付きシート１２を、下敷きテープ１に重なり合っている箇所、図３における矢印Ｂで示す部分で切断する。
【００５７】
そしてその後は、糊付きシート１２における未貼着の部分を下地ボード１１Ｂの目すかし部分１１０１に貼着するとともに、前記仮止めした下敷きテープ１を取り除き、これにより目すかし部分の糊付きシートの貼着が完了する。
【００５８】
このように、本実施例の目すかし貼り工法では、目すかし部分を挟んだ下地の他方の端部分の表面に予め下敷きテープを仮止めしておくため、延出させた糊付きシート１２が他方側下地ボード１１０２Ｂに接着してしまうことが無く、下地ボードを傷めることなく目すかし部分に糊付きシートを貼着することが可能である。
【実施例４】
【００５９】
次に、前記下敷きテープを用いて、下地のヘリ部分に糊付きシートを貼る本発明の糊付きシートの貼着工法（以下「ヘリ貼り工法」と称する。）の実施例について説明すると、図４は、本実施例のヘリ貼り工法を説明するための図であり、図において１１Ｃは下地ボード、１１Ｄは床部分であり、本実施例の糊付きシートの貼着工法は、特に床部分の表面を傷めることなく、下地ボード１１Ｃにおける床１１Ｄとの交差部分を美しく仕上げるための工法としている。
【００６０】
そして、本実施例のヘリ貼り工法では、まず、予め、下地ボード１１Ｃに交差する床部分１１Ｄにおいて、下地１１Ｃの近傍に前記下敷きテープ１を仮止めしておく。
【００６１】
そして、下地１１Ｃに糊付きシート１２を貼着するとともに、その糊付きシート１２の端部分を前記床部分１１Ｄの側まで延出する。
【００６２】
そして次に、該延出させた糊付きシート１２を、前記下地１１Ｃと床部分１１Ｄとの交差部分、図における矢印Ｃで示す部分で切断し、糊付きシート１２を下地ボード１１Ｃの下端まで確実に貼着する。
【００６３】
そして、その後、前記仮止めした下敷きテープ１を取り除き、あるいは、前記仮止めした下敷きテープ１を取り除いた後に、糊付きシート１２を下地ボード１１Ｃの下端まで確実に貼着し、これによりヘリ貼りが完了する。
【００６４】
このように、本実施例のヘリ貼り工法では、予め、下地ボード１１Ｃに交差する床部分１１Ｄにおける、下地１１Ｃの近傍に前記下敷きテープ１を仮止めしておくことを特徴としているために、床部分１１Ｄ側まで延出させた糊付きシート１２が床部分１１Ｄの表面に接着してしまうことが無く、床部分１１Ｄを傷めることなくヘリ部分に糊付きシートを貼着することが可能である。
【産業上の利用可能性】
【００６５】
本発明の糊付きシート貼着用下敷きテープ及びそれを用いた糊付きシートの貼着工法は、糊付きシートの貼着に際して、作業効率を高めるとともに下地を傷めずに美しい仕上がりを確保可能としているため、糊付きシートに限らず、ステッカー貼りの全般に適用可能である。
【図面の簡単な説明】
【００６６】
【図１】本発明の下敷きテープの実施例の構造を説明するための断面図である。
【図２】本発明の下敷きテープの実施例を用いた糊付きシートの貼着方法の実施例を説明するための図である。
【図３】本発明の下敷きテープの実施例を用いた糊付きシートの貼着方法の他の実施例を説明するための図である。
【図４】本発明の下敷きテープの実施例を用いた糊付きシートの貼着方法の他の実施例を説明するための図である。
【図５】従来の糊付きシートの貼着方法を説明するための図である。
【図６】従来の糊付きシートの貼着方法を説明するための図である。
【図７】従来の糊付きシートの貼着方法を説明するための図である。
【符号の説明】
【００６７】
１    下敷きテープ
２    テープ本体
３    易剥離性接着層
４    非粘着層
１１Ａ、１１Ｂ、１１Ｃ    下地ボード
１１Ｄ    床部分
１１０１    目すかし部分
１１０２Ａ    一方側下地ボード
１１０２Ｂ    他方側下地ボード
１２    糊付きシート
１２Ａ    一方側の糊付きシート
１２Ｂ    他方側の糊付きシート
【図１】
2008303647.tif 000003
【図２】
2008303647.tif 000004
【図３】
2008303647.tif 000005
【図４】
2008303647.tif 000006
【図５】
2008303647.tif 000007
【図６】
2008303647.tif 000008
【図７】
2008303647.tif 000009